(57)【要約】【課題】シェーディング補正を可能にすると共に、異物が内部に侵入することを困難とする原稿読取装置を提供する。【解決手段】原稿読取装置は、読取ユニットと、ガラスユニットと、閉塞部材とを有する。読取ユニットは、光源を有し、原稿を読み取る。ガラスユニットは、上記光源が発する光を透過させるガラス板と、読取光学系のシェーディング補正の基準となる基準部材とを有し、読取ユニットから空間を置いて配置され、光源が発する光がガラス板を透過する状態の第１の位置と、光源が発する光が基準部材に到達する状態の第２の位置との間で空間を維持しつつスライドする。閉塞部材は、原稿の搬送方向においてガラスユニットにおけるガラス板及び基準部材より下流側に位置し、読取ユニットとガラスユニットとの間の空間の少なくとも一部を埋める。【選択図】図３
2014090277.tif 000002
【特許請求の範囲】
【請求項１】
光源を有し、搬送される原稿を読み取る読取ユニットと、
前記読取ユニットにおける前記光源が発する光を透過させるガラス板、及び、前記読取ユニットによって行われる読取光学系のシェーディング補正の基準となる基準部材を有し、前記読取ユニットから空間を置いて配置され、前記光源が発する光が前記ガラス板を透過する状態の第１の位置と、前記光源が発する光が前記基準部材に到達する状態の第２の位置との間で前記空間を維持しつつスライドするガラスユニットと、
前記ガラスユニットが前記第１の位置に位置しても前記第２の位置に位置しても、原稿の搬送方向において、前記ガラスユニットにおける前記ガラス板及び前記基準部材より下流側に位置すると共に、前記読取ユニットと前記ガラスユニットとのうちの一方に取り付けられ、前記読取ユニットと前記ガラスユニットとの間の前記空間の少なくとも一部を埋める閉塞部材と
を備える原稿読取装置。
【請求項２】
前記閉塞部材は、
前記ガラスユニットにおける前記ガラス板の幅の一端から他端までの長さを少なくとも有する幅を持ち、
幅方向における全部の位置において、前記読取ユニットと前記ガラスユニットとのうちで取り付けられていない方のユニットと接触し、
前記原稿の搬送方向において、前記空間を、前記ガラスユニットにおける前記ガラス板及び前記基準部材が含まれる上流側と、前記ガラス板及び前記基準部材が含まれない下流側とに仕切るように配置される
請求項１に記載の原稿読取装置。
【請求項３】
前記読取ユニットは、前記ガラスユニットより鉛直上方に位置し、
前記閉塞部材は、前記ガラスユニットに取り付けられている
請求項１又は２に記載の原稿読取装置。
【請求項４】
潤滑油を更に備え、
前記閉塞部材は、前記読取ユニットと前記ガラスユニットとのうちで取り付けられていない方のユニットと接触し、
前記潤滑油は、前記読取ユニットと前記ガラスユニットとのうちで前記閉塞部材が取り付けられていない方のユニットにおいて前記閉塞部材と接触する部位に位置する
請求項１から３のいずれかに記載の原稿読取装置。
【請求項５】
前記潤滑油は、揮発性を有する
請求項４に記載の原稿読取装置。
【請求項６】
前記閉塞部材は、弾性体を有する
請求項１から５のいずれかに記載の原稿読取装置。
【請求項７】
前記閉塞部材は、前記読取ユニットと前記ガラスユニットとのうちで取り付けられていない方のユニットと接触する接触部材を更に有し、
前記読取ユニットと前記ガラスユニットとのうちで前記閉塞部材が取り付けられていない方のユニットと前記接触部材との間における摩擦係数は、前記読取ユニットと前記ガラスユニットとのうちで前記閉塞部材が取り付けられていない方のユニットと前記弾性体との間における摩擦係数より小さい
請求項６に記載の原稿読取装置。
【発明の詳細な説明】
【技術分野】
【０００１】
本発明は原稿の両面を読み取る原稿読取装置に関し、詳しくは一方面を読み取られた原稿の他方面を読み取るための読取ユニットを有する原稿搬送装置を備えた原稿読取装置に関する。
【背景技術】
【０００２】
従来、光源からの光を搬送される原稿に照射し、原稿からの反射光を検出することによって原稿を読み取る原稿読取装置が用いられている。従来の原稿読取装置として、読取光学系のシェーディング補正を行うために、白色の基準部材が設けられている装置が提案されている。その装置では、基準部材は、原稿を読み取る読取ユニットに形成された開口を塞ぐガラス板に設けられている。シェーディング補正を行うための基準値を得る場合に基準部材が光源からの光を反射する位置に位置し、原稿を読み取る場合にガラス板のうちの基準部材が設けられていない部位であって光を透過させることが可能な部位が上述の位置に位置するように、ガラス板はスライドする（例えば、特許文献１参照）。
【先行技術文献】
【特許文献】
【０００３】
【特許文献１】特開２００７−７４４４５号公報
【発明の概要】
【発明が解決しようとする課題】
【０００４】
読取光学系のシェーディング補正を行う原稿読取装置として、ガラス板と読取ユニットとの間に空間が存在し、空間を維持しつつガラス板がスライドする装置も提案されている。その装置では、空間が存在するために、塵等の異物が空間を介して装置の外部から内部に侵入する可能性がある。異物が装置の内部に侵入して基準部材に付着すると、シェーディング補正を行うための基準値は、異物が基準部材に付着した部位に対応する画素と付着していない部位に対応する画素とで異なる。つまり、異物が基準部材に付着すると、原稿の全部を読み取ることによって形成される画像にスジが出現する等の問題が生じる。異物がガラス板に付着した場合においても、原稿の全部を読み取ることによって形成される画像にスジが出現する等の問題が生じる。さらに、異物が装置の内部に侵入し、読取ユニットにおける光学素子に異物が付着した場合においても、異物が基準部材やガラス板に付着した場合と同様の問題が生じる。
【０００５】
本発明は、読取光学系のシェーディング補正を可能にすると共に、異物が内部に侵入することを困難とする原稿読取装置を提供することを目的とする。
【課題を解決するための手段】
【０００６】
本発明のある態様の原稿読取装置は、読取ユニットと、ガラスユニットと、閉塞部材とを有する。読取ユニットは、光源を有し、搬送される原稿を読み取る。ガラスユニットは、読取ユニットにおける光源が発する光を透過させるガラス板と、読取ユニットによって行われる読取光学系のシェーディング補正の基準となる基準部材とを有し、読取ユニットから空間を置いて配置され、光源が発する光がガラス板を透過する状態の第１の位置と、光源が発する光が基準部材に到達する状態の第２の位置との間で空間を維持しつつスライドする。閉塞部材は、ガラスユニットが第１の位置に位置しても第２の位置に位置しても、原稿の搬送方向において、ガラスユニットにおけるガラス板及び基準部材より下流側に位置すると共に、読取ユニットとガラスユニットとのうちの一方に取り付けられ、読取ユニットとガラスユニットとの間の空間の少なくとも一部を埋める。なお、「ガラスユニットにおけるガラス板及び基準部材より下流側」とは、ガラス板のうちの読取ユニットにおける光源が発する光を透過させると共に原稿からの反射光を透過させる部位より下流側であって、かつ基準部材のうちの上記光源からの光が到達する部位より下流側を意味する。
【０００７】
閉塞部材は、ガラスユニットにおけるガラス板の幅の一端から他端までの長さを少なくとも有する幅を持ち、幅方向における全部の位置において、読取ユニットとガラスユニットとのうちで取り付けられていない方のユニットと接触し、原稿の搬送方向において、空間を、ガラスユニットにおけるガラス板及び基準部材が含まれる上流側と、ガラス板及び基準部材が含まれない下流側とに仕切るように配置されてもよい。
【０００８】
読取ユニットは、ガラスユニットより鉛直上方に位置し、閉塞部材は、ガラスユニットに取り付けられてもよい。
【０００９】
原稿読取装置は、潤滑油を更に有し、閉塞部材は、読取ユニットとガラスユニットとのうちで取り付けられていない方のユニットと接触し、潤滑油は、読取ユニットとガラスユニットとのうちで閉塞部材が取り付けられていない方のユニットにおいて閉塞部材と接触する部位に位置してもよい。
【００１０】
潤滑油は、揮発性を有してもよい。
【００１１】
閉塞部材は、弾性体を有してもよい。
【００１２】
閉塞部材は、読取ユニットとガラスユニットとのうちで取り付けられていない方のユニットと接触する接触部材を更に有し、読取ユニットとガラスユニットとのうちで閉塞部材が取り付けられていない方のユニットと接触部材との間における摩擦係数は、読取ユニットとガラスユニットとのうちで閉塞部材が取り付けられていない方のユニットと弾性体との間における摩擦係数より小さくてもよい。
【発明の効果】
【００１３】
本発明によれば、読取光学系のシェーディング補正を可能にすると共に、異物が内部に侵入することを困難とする原稿読取装置を提供することができる。
【図面の簡単な説明】
【００１４】
【図１】本発明の実施の形態に係る原稿読取システムの全体構成を示す断面図である。
【図２】図１における読取ユニット等の拡大断面図である。
【図３】図２における読取ユニットの一部及びガラスユニット等を拡大して示す図である。
【図４】図３におけるガラスユニットが下流側にスライドした状態を示す図である。
【図５】図２等におけるガラスユニットを鉛直上方側から見た場合の斜視図である。
【図６】図２等における読取ユニットを鉛直下方側から見た場合の斜視図である。
【図７Ａ】図１等に示す第２原稿読取装置におけるガラスユニットが第１の位置に位置している状態における読取ユニットとガラスユニットとの一部を断面により示す図である。
【図７Ｂ】図７Ａにおけるガラスユニットが第１の位置より下流側の第２の位置にスライドした後の状態における読取ユニットとガラスユニットとの一部を断面により示す図である。
【図７Ｃ】図７Ｂにおけるガラスユニットが第２の位置から第１の位置に復帰した状態における読取ユニットとガラスユニットとの一部を断面により示す図である。
【発明を実施するための形態】
【００１５】
以下に、本発明の実施の形態について、図面を参照して説明する。図１は、本発明の実施の形態に係る原稿読取システムの全体構成を示す断面図である。本実施の形態の原稿読取システムは、第１原稿読取装置Ｈと、第２原稿読取装置Ａとを有する。第１原稿読取装置Ｈも第２原稿読取装置Ａも、原稿を読み取る装置である。第１原稿読取装置Ｈは原稿を搬送する機能を有していない。第２原稿読取装置Ａは原稿を搬送する機能を有している。第２原稿読取装置Ａは、図示されていないヒンジを介して第１原稿読取装置Ｈに取り付けられている。ヒンジは、第２原稿読取装置Ａが第１原稿読取装置Ｈに対して回動自在となるように、第１原稿読取装置Ｈと第２原稿読取装置Ａとを接続している。第１原稿読取装置Ｈにおける上面は、第２原稿読取装置Ａが対向している状態から開く向きに回動することによって開放される。
【００１６】
第１原稿読取装置Ｈは、第１ガラス板１ａと、第２ガラス板１ｂと、読取キャリッジ２とを有する。第１ガラス板１ａは、光を透過させるガラス製の板であって、第１原稿読取装置Ｈと第２原稿読取装置Ａとの接続部の近傍に位置し、第１原稿読取装置Ｈの上面の一部を構成する。第１ガラス板１ａは、第２原稿読取装置Ａによって搬送される原稿の一方の面を読み取る場合に用いられる。第２ガラス板１ｂは、光を透過させるガラス製の板であって、第１ガラス板１ａと比較して上記接続部から離れて位置し、第１原稿読取装置Ｈの上面の一部を構成する。第２ガラス板１ｂは、第１ガラス板１ａより大きく、書籍等の原稿を載置することができる大きさを有しており、載置された原稿を読み取る場合に用いられる。
【００１７】
読取キャリッジ２は、光源と、複数のミラーと、レンズと、光電変換素子（ＣＣＤ）を含む光電変換手段とを有するユニットである。読取キャリッジ２は、光源からの光を原稿に照射し、原稿からの反射光をミラー及びレンズを介して集め、光電変換手段により光電変換することによって原稿を読み取る。読取キャリッジ２は、第１原稿読取装置Ｈと第２原稿読取装置Ａとの接続部の近傍から、第２ガラス板１ｂのうちの上記接続部から最も離れた部位の近傍まで移動することができる。すなわち、読取キャリッジ２は、副走査方向に移動することができる。
【００１８】
読取キャリッジ２は、第１原稿読取装置Ｈと第２原稿読取装置Ａとの接続部の近傍に静止した状態で、第２原稿読取装置Ａによって第１ガラス板１ａの上面に搬送される原稿の一方の面を、第１ガラス板１ａを介して読み取る。読取キャリッジ２は、副走査方向を走査することにより、第２ガラス板１ｂに載置された原稿を、第２ガラス板１ｂを介して読み取る。
【００１９】
第２原稿読取装置Ａは、上述の通り原稿を搬送する機能を有している装置であって、給紙トレイ１０と、排紙トレイ１１と、原稿搬送経路１２とを有する。給紙トレイ１０は搬送される原稿が載置されるものであって、給紙トレイ１０には、複数枚の原稿を載置することができる。給紙トレイ１０は、第２原稿読取装置Ａが第１原稿読取装置Ｈの上面を覆った状態において排紙トレイ１１の鉛直上方に位置するように設けられている。
【００２０】
給紙トレイ１０は原稿の搬送方向の最も上流側に設けられており、給紙トレイ１０には、給紙トレイ１０に載置された原稿の先端の位置を規制するための規制壁７２が設けられている。規制壁７２は、給紙トレイ１０から原稿搬送経路１２へ繋がるように設けられている。以下では、「原稿の搬送方向の上流側」を「上流側」と記載し、「原稿の搬送方向の下流側」を「下流側」と記載する。
【００２１】
排紙トレイ１１は、読み取られた原稿を収納するためのものである。原稿搬送経路１２は、給紙トレイ１０から排紙トレイ１１へ至るＵ字状の経路である。原稿は、給紙トレイ１０から原稿搬送経路１２を通って排紙トレイ１１へ搬送される。原稿搬送経路１２には、繰出ローラ１３と、給紙ローラ１４と、分離ローラ１５と、レジストローラ対１６（レジストローラ１６Ａ、１６Ｂ）と、搬送ローラ対１７と、搬送ローラ対１８と、排紙ローラ対１９とが設けられている。
【００２２】
原稿搬送経路１２は、上流側の経路と、中間の経路と、下流側の経路とから構成されている。上流側の経路は、給紙トレイ１０上の原稿が繰り出される給紙口１２ａからレジストローラ対１６に至る経路である。中間の経路は、レジストローラ対１６から第１ガラス板１ａを経て搬送ローラ対１８に至る湾曲した経路である。下流側の経路は、搬送ローラ対１８から排紙ローラ対１９の近傍の排紙口１２ｂに至る経路である。
【００２３】
繰出ローラ１３は、給紙トレイ１０に載置されて規制壁７２によって先端の位置が規制された原稿に接してその原稿を下流側に繰り出すためのローラである。給紙ローラ１４は、繰出ローラ１３によって繰り出された原稿を給送するローラである。分離ローラ１５は、給紙ローラ１４に接して複数枚の原稿から１枚の原稿を分離するローラである。レジストローラ対１６（レジストローラ１６Ａ、１６Ｂ）は、給紙ローラ１４によって給送された原稿の先端が突き当り、その原稿の先端の位置を規制してその原稿を下流側に送るローラ対である。
【００２４】
搬送ローラ対１７は、レジストローラ対１６より下流側であって第１ガラス板１ａより上流側に配置されたローラである。搬送ローラ対１８は、第１ガラス板１ａより下流側であって排紙ローラ対１９より上流側に配置されたローラ対である。搬送ローラ対１７も搬送ローラ対１８も、原稿を下流側に搬送する。排紙ローラ対１９は、搬送ローラ対１８より下流側に配置され、原稿を排紙トレイ１１に搬送するローラ対である。
【００２５】
第２原稿読取装置Ａは、読取ユニット３と、給紙カバー８１とを更に有している。読取ユニット３は、原稿を読み取るものである。読取ユニット３については、後に再度説明する。給紙カバー８１は、給紙口１２ａ、原稿搬送経路１２の一部及び読取ユニット３を覆う。繰出ローラ１３、給紙ローラ１４、レジストローラ１６Ａ及び給紙カバー８１は、ユニット化されて給紙カバーユニット８０を構成している。給紙カバーユニット８０は、回動ピン８２によって第２原稿読取装置Ａの下方部に対して回動自在に取り付けられている。給紙カバーユニット８０の内側には、分離ガイドユニット７０が設けられている。分離ガイドユニット７０は、規制壁７２と分離ローラ１５とがユニット化されたものであって、図１では太線により囲まれて示されている。
【００２６】
読取ユニット３は、Ｕ字状の原稿搬送経路１２の内側の領域に配置されており、光源と、複数のミラーと、レンズと、光電変換素子（ＣＣＤ）を含む光電変換手段とを有し、第１原稿読取装置Ｈの第１ガラス板１ａの上面を通過する原稿の他方の面を読み取る。第２原稿読取装置Ａは、第３ガラス板２０を含むガラスユニット４を更に有する。第３ガラス板２０は搬送ローラ対１８と排紙ローラ対１９との間に位置し、第３ガラス板２０の一方の面は原稿搬送経路１２の一部として機能する。
【００２７】
第２原稿読取装置Ａによって搬送される原稿の両面を読み取る場合、繰出ローラ１３、給紙ローラ１４、分離ローラ１５、レジストローラ対１６、搬送ローラ対１７及び搬送ローラ対１８は、給紙トレイ１０に載置された原稿を順に下流側に搬送する。最後に、排紙ローラ対１９が排紙トレイ１１に排紙する。原稿の搬送過程において、原稿が第１ガラス板１ａを通過する際、読取キャリッジ２は原稿の一方の面を読み取り、原稿が第３ガラス板２０を通過する際、読取ユニット３は原稿の他方の面を読み取る。
【００２８】
読取ユニット３及びガラスユニット４等について図２等を用いて更に説明する。図２は、図１における読取ユニット３等の拡大断面図である。読取ユニット３は、ガラスユニット４より鉛直上方に位置しており、光源と、４つのミラー２４、２５、２６及び２７と、レンズ２８と、光電変換素子（ＣＣＤ）２９を含む光電変換手段とを有する。光源は、光を発するＬＥＤ（不図示）及び導光体２２を含み、第３ガラス板２０を介して搬送される原稿に光を照射する。４つのミラー２４、２５、２６及び２７は、原稿からの反射光をレンズ２８に導く。レンズ２８は、４つのミラー２４、２５、２６及び２７によって導かれた反射光を集束させる。ＣＣＤ２９は、レンズ２８によって集束された光に対して光電変換を行う。
【００２９】
読取ユニット３は、４つのミラー２４、２５、２６及び２７、レンズ２８、並びにＣＣＤ２９が設けられた光学ユニット６０と、ＬＥＤ及び導光体２２を含む光源が設けられた光源ユニット６１とによって構成されている。光学ユニット６０は、第１フレーム３０と、ＣＣＤ基板３１とを更に有する。第１フレーム３０は、読取ユニット３における外装カバーの機能を有するものであって、例えば、樹脂材料によって形成されており、断面がＬ字状のものである。ＣＣＤ基板３１は、原稿の搬送方向に対して直交する原稿幅方向と平行に設けられており、ＣＣＤ２９が実装されている。
【００３０】
光源ユニット６１は、第２フレーム３２と、２つの導光体２２と、ＬＥＤと、ＬＥＤ基板（不図示）とを有する。第２フレーム３２は、第１フレーム３０の内部を覆うように第１フレーム３０に取り付けられている。２つの導光体２２のそれぞれは、第２フレーム３２の一面側に搬送される原稿の幅方向と平行に設けられている。ＬＥＤは、導光体２２に入射される光を発するチップ状のものであって、搬送される原稿の搬送方向と平行となるようにＬＥＤ基板に実装されている。第２フレーム３２には、原稿からの反射光をミラー２４に入射させるためのスリット３２ａが形成されており、スリット３２ａには、読取ユニット３の内部の光学部品を保護するための保護ガラス２１が配置されている。
【００３１】
読取ユニット３は、第３ガラス板２０を介して光源が発する光を原稿に照射し、原稿からの反射光を４つのミラー２４、２５、２６及び２７並びにレンズ２８によってＣＣＤ２９に導き、ＣＣＤ２９によって光電変換を行うことにより、原稿を読み取る。読み取られる原稿は、図１における第１原稿読取装置Ｈの第１ガラス板１ａの上面を通過する原稿の他方の面である。
【００３２】
ガラスユニット４は、読取ユニット３より鉛直下方に位置しており、第３ガラス板２０と、基準部材４０とを有する。ガラスユニット４は、第３ガラス板２０が読取ユニット３から空間Ｓを置いて配置され、空間Ｓを維持しつつ、図２において矢印により表現されたスライド方向ＵＬにスライドする。図２におけるスライド方向ＵＬのＵ側は上流側であり、Ｌ側は下流側である。
【００３３】
第３ガラス板２０は、読取ユニット３における光源が発する光を透過させるものである。基準部材４０は、読取ユニット３によって行われる読取光学系のシェーディング補正の基準となるものである。本実施の形態では、基準部材４０は白色かつ帯状のものであって、第３ガラス板２０より小さく、第３ガラス板２０における一方の面の上流側に取り付けられている。図２は、ガラスユニット４が第１の位置に位置する状態を示している。第１の位置は、読取ユニット３における光源が発する光が第３ガラス板２０を透過する状態におけるガラスユニット４の位置である。ガラスユニット４が第１の位置に位置する場合、読取ユニット３は、図１における第１原稿読取装置Ｈの第１ガラス板１ａの上面を通過する原稿の他方の面を読み取る。
【００３４】
図３は、図２における読取ユニット３の一部及びガラスユニット４等を拡大して示す図である。図３においても、ガラスユニット４は、読取ユニット３における光源が発する光が第３ガラス板２０を透過する状態の第１の位置に位置した状態で示されている。図４は、図３におけるガラスユニット４が下流側にスライドした状態を示す図であって、ガラスユニット４が第２の位置に位置する状態を示している。第２の位置は、読取ユニット３における光源が発する光が基準部材４０に到達する状態におけるガラスユニット４の位置である。ガラスユニット４が第２の位置に位置する場合、読取ユニット３はシェーディング補正の基準値を取得する。図４において円によって囲まれた部位については、後述する。
【００３５】
図３及び４に示す通り、第２原稿読取装置Ａは、ガラスユニット４をスライド方向ＵＬにスライドさせるためのスライド駆動部９５を更に有する。図３及び４では、スライド駆動部９５は二点鎖線によって表現されている。スライド駆動部９５は、カム９５ａと、ドライブ部９５ｂとを有する。カム９５ａは、図示されていないモータ等の駆動部によって回転方向ＣＣＷという一方向に回転する。カム９５ａには、凹部９５ｃが形成されている。ドライブ部９５ｂは、突起部９５ｄと、ドライブレバー９５ｅとを有する。ガラスユニット４は、鉛直下方に突出しているユニットレバー４１を更に有している。
【００３６】
ドライブレバー９５ｅには、回転方向ＣＣＷが縮み方向となるバネが設けられている。バネは、図示されていない。カム９５ａが回転方向ＣＣＷに回転すると、ドライブレバー９５ｅは、回転方向ＣＣＷと同じ方向に回転し、その後にユニットレバー４１に接触してユニットレバー４１を下流側（Ｌ側）に押す。その動作により、ガラスユニット４は第１の位置から第２の位置の向きにスライドする。カム９５ａが更に回転すると、ドライブ部９５ｂの突起部９５ｄはカム９５ａに形成されている凹部９５ｃに嵌まり、ドライブレバー９５ｅは、ドライブレバー９５ｅに設けられているバネの力によって回転方向ＣＣＷと反対の方向に回転し、ドライブレバー９５ｅはユニットレバー４１から放れる。ドライブレバー９５ｅがユニットレバー４１から放れると、ガラスユニット４に対する下流側への力は解除され、ガラスユニット４は第１の位置に戻る。
【００３７】
図２、３及び４に示す通り、第２原稿読取装置Ａは、下流側閉塞部材５１及び上流側閉塞部材５２を更に有する。下流側閉塞部材５１は、ガラスユニット４が第１の位置に位置しても第２の位置に位置しても、ガラスユニット４における第３ガラス板２０より下流側に位置する。「第３ガラス板２０より下流側」とは、第３ガラス板２０において、読取ユニット３における光源が発する光を透過させると共に原稿からの反射光を透過させる部位より下流側を意味する。下流側閉塞部材５１は、ガラスユニット４の読取ユニット３側の部位に取り付けられている。下流側閉塞部材５１は、読取ユニット３とガラスユニット４との間の空間Ｓの一部を埋める。
【００３８】
上流側閉塞部材５２は、下流側閉塞部材５１と同様の部材であって、ガラスユニット４が第１の位置に位置しても第２の位置に位置しても、ガラスユニット４における第３ガラス板２０より上流側に位置する。「第３ガラス板２０より上流側」とは、第３ガラス板２０に取り付けられている基準部材４０において、読取ユニット３における光源が発する光が到達する部位より上流側を意味する。上流側閉塞部材５２も、下流側閉塞部材５１と同様にガラスユニット４の読取ユニット３側の部位に取り付けられており、読取ユニット３とガラスユニット４との間の空間Ｓの一部を埋める。
【００３９】
図５は、図２等におけるガラスユニット４を鉛直上方側から見た場合の斜視図である。下流側閉塞部材５１及び上流側閉塞部材５２のそれぞれは、ガラスユニット４における第３ガラス板２０の幅の一端から他端までの長さを有する幅を持つ。図２、３及び４に戻る。図２、３及び４に示すように、下流側閉塞部材５１は、幅方向における全部の位置において読取ユニット３と接触し、ガラスユニット４における第３ガラス板２０の全部が下流側閉塞部材５１より下流側から隠れるように配置されている。すなわち、下流側閉塞部材５１は、原稿の搬送方向において、空間Ｓを、第３ガラス板２０が含まれる上流側と、第３ガラス板２０が含まれない下流側とに仕切る。
【００４０】
上流側閉塞部材５２も、幅方向における全部の位置において読取ユニット３と接触している。上流側閉塞部材５２によって、第３ガラス板２０に取り付けられている基準部材４０において読取ユニット３の光源が発する光が到達する部位より下流側の部位は、読取ユニット３の光源が発する光が到達する部位より上流側から隠れる。すなわち、上流側閉塞部材５２は、下流側閉塞部材５１は原稿の搬送方向において、空間Ｓを、基準部材４０において読取ユニット３の光源が発する光が到達する部位が含まれる下流側と、その部位が含まれない上流側とに仕切る。
【００４１】
図４の円で拡大表示されている部分が示す通り、下流側閉塞部材５１は、弾性体によって形成されている取付部材５８と、接触部材５９とを有する。取付部材５８は、下流側閉塞部材５１のうちのガラスユニット４に取り付けられている部材である。取付部材５８は、例えば合成樹脂製のスポンジである。接触部材５９は、下流側閉塞部材５１のうちの読取ユニット３と接触する部材である。接触部材５９は、例えば薄膜である。読取ユニット３と接触部材５９との間における摩擦係数は、読取ユニット３と取付部材５８との間における摩擦係数より小さい。上流側閉塞部材５２は、上述の通り下流側閉塞部材５１と同様の部材であって、図示されていないが取付部材５８及び接触部材５９を有する。
【００４２】
図６は、図２等における読取ユニット３を鉛直下方側から見た場合の斜視図である。図６では、読取ユニット３において下流側閉塞部材５１と接触する下流側接触部位７６と、上流側閉塞部材５２と接触する上流側接触部位７７とが、斜線によって表現されている。下流側接触部位７６は、ガラスユニット４が第１の位置と第２の位置との間をスライドする際に下流側閉塞部材５１が接触する全部の部位を含む。上流側接触部位７７は、ガラスユニット４が第１の位置と第２の位置との間をスライドする際に上流側閉塞部材５２が接触する全部の部位を含む。下流側接触部位７６及び上流側接触部位７７には、揮発性を有する潤滑油が塗布されている。
【００４３】
上述の通り、本実施の形態における第２原稿読取装置Ａは、光源を含む読取ユニット３と、第３ガラス板２０及び基準部材４０を含むガラスユニット４と、下流側閉塞部材５１とを有する。ガラスユニット４は、読取ユニット３から空間Ｓを置いて配置されており、読取ユニット３における光源が発する光が第３ガラス板２０を透過する状態の第１の位置と、光源が発する光が基準部材４０に到達する状態の第２の位置との間で空間Ｓを維持しつつスライドする。下流側閉塞部材５１は、ガラスユニット４が第１の位置に位置しても第２の位置に位置しても、原稿の搬送方向において、第３ガラス板２０及び基準部材４０より下流側に位置し、読取ユニット３とガラスユニット４との間の空間Ｓの一部を埋める。
【００４４】
第３ガラス板２０及び基準部材４０は下流側閉塞部材５１によって第２原稿読取装置Ａの下流側から隠れる。すなわち、下流側閉塞部材５１は、原稿の搬送方向において、空間Ｓを、第３ガラス板２０が含まれる上流側と、第３ガラス板２０が含まれない下流側とに仕切る。そのため、塵等の異物が第２原稿読取装置Ａの下流側から空間Ｓを介して第２原稿読取装置Ａの内部に侵入することを防止することができる。もちろん、第２原稿読取装置Ａは基準部材４０を有しているので、ガラスユニット４が第２の位置に位置した場合にシェーディング補正の基準値を取得することにより、読取光学系のシェーディング補正を行うことができる。
【００４５】
本実施の形態における第２原稿読取装置Ａの効果について、図７を用いて更に説明する。図７は、図１等に示す第２原稿読取装置Ａの効果を説明するための図である。具体的には、図７Ａは、図１等に示す第２原稿読取装置Ａにおけるガラスユニット４が第１の位置に位置している状態における読取ユニット３とガラスユニット４との一部を断面により示す図である。図７Ｂは、図７Ａにおけるガラスユニット４が第１の位置より下流側の第２の位置にスライドした後の状態における読取ユニット３とガラスユニット４との一部を断面により示す図である。図７Ｃは、図７Ｂにおけるガラスユニット４が第２の位置から第１の位置に復帰した状態における読取ユニット３とガラスユニット４との一部を断面により示す図である。
【００４６】
図７Ａに示すように、読取ユニット３におけるガラスユニット４との対向面の下流側閉塞部材５１より下流側に、塵等の異物Ｄが付着している場合を想定する。第２原稿読取装置Ａは下流側閉塞部材５１を有するので、ガラスユニット４が第１の位置に位置している場合、異物Ｄは空間Ｓを介して第２原稿読取装置Ａの内部に侵入しない。ガラスユニット４が第１の位置から第２の位置にスライドすると、図７Ｂに示すように、下流側閉塞部材５１は下流側にスライドするので、異物Ｄは下流側閉塞部材５１によって第２原稿読取装置Ａの下流側の外部に吐き出される。
【００４７】
その際、図４における円内にも示すように、下流側閉塞部材５１の下流側の一部が読取ユニット３における下流側の端部より更に下流側に位置する。下流側閉塞部材５１は弾性体によって形成されている取付部材５８を有しており、取付部材５８のうちの読取ユニット３における下流側の端部を下流側に超えた部位は、縮んだ状態から伸びる。取付部材５８は、その動作によって異物Ｄを第２原稿読取装置Ａの外部に勢いよく吐き出す。
【００４８】
ガラスユニット４が第２の位置から第１の位置にスライドすると、図７Ｃに示すように、ガラスユニット４がスライドするのに伴って下流側閉塞部材５１は上流側にスライドし、弾性体によって形成されている取付部材５８のうちの伸びた部分は縮み、空間Ｓの一部を埋める。したがって、異物Ｄが下流側から空間Ｓを介して第２原稿読取装置Ａの内部に侵入することを防止することができる。
【００４９】
加えて、上述した実施の形態では、読取ユニット３における下流側接触部位７６及び上流側接触部位７７には、揮発性を有する潤滑油が塗布されている。したがって、ガラスユニット４がスライドする場合、下流側閉塞部材５１及び上流側閉塞部材５２は円滑にスライドすることができる。すなわち、ガラスユニット４は潤滑油により円滑にスライドすることができる。
【００５０】
上述の通り、下流側接触部位７６には潤滑油が塗布されているので、下流側閉塞部材５１は潤滑油により円滑にスライドすることができる。つまり、下流側閉塞部材５１と下流側接触部位７６との間の摩擦力は小さく、すなわち下流側閉塞部材５１と下流側接触部位７６との双方において静電気は発生しにくい。したがって、塵等の異物は潤滑油及び下流側閉塞部材５１に付着しにくい。そのため、ガラスユニット４が第１の位置に位置することによって下流側接触部位７６の一部が下流側閉塞部材５１より下流側に位置しても、異物は潤滑油又は下流側閉塞部材５１によって第２原稿読取装置Ａの内部に引き込まれ難い。
【００５１】
加えて、下流側接触部位７６には、揮発性を有する潤滑油が塗布されている。潤滑油には液状又はそれに近い状態のものはほとんど含まれていないので、塵等の異物は潤滑油に付着しにくい状態になっている。そのため、ガラスユニット４が第１の位置に位置することによって下流側接触部位７６の一部が下流側閉塞部材５１より下流側に位置しても、異物は潤滑油によって第２原稿読取装置Ａの内部に引き込まれ難い。
【００５２】
さらに、上述した実施の形態では、下流側閉塞部材５１は弾性体によって形成されている取付部材５８を有する。読取ユニット３とガラスユニット４との間の空間Ｓの大きさが設計的事項により製造前に予定していた大きさから少し異なったとしても、取付部材５８を予め少し大きくしておけば、取付部材５８は弾性体によって形成されていて縮むことができるので、下流側閉塞部材５１を読取ユニット３に接触させることができる。それにより、塵等の異物が空間Ｓを介して第２原稿読取装置Ａの内部に侵入することを防止することができる。
【００５３】
さらにまた、上述した実施の形態では、下流側閉塞部材５１は接触部材５９を有する。接触部材５９は、下流側閉塞部材５１のうちの読取ユニット３と接触する部位である。読取ユニット３と接触部材５９との間における摩擦係数は、読取ユニット３と取付部材５８との間における摩擦係数より小さい。下流側閉塞部材５１は、そのような性質を持つ接触部材５９を有するので、接触部材５９を有さない場合よりも、読取ユニット３と接触しながら円滑にスライドすることができる。すなわち、ガラスユニット４は接触部材５９により円滑にスライドすることができる。つまり、下流側閉塞部材５１と下流側接触部位７６との間の摩擦力は小さく、下流側閉塞部材５１と下流側接触部位７６との双方において静電気は発生しにくい。したがって、塵等の異物は下流側接触部位７６及び下流側閉塞部材５１に付着しにくい。そのため、ガラスユニット４が第１の位置に位置することによって下流側接触部位７６の一部が下流側閉塞部材５１より下流側に位置しても、異物は下流側接触部位７６又は下流側閉塞部材５１によって第２原稿読取装置Ａの内部に引き込まれ難い。
【００５４】
上流側閉塞部材５２は上述の通り下流側閉塞部材５１と同様の部材であるので、上流側閉塞部材５２は、接触部材５９を有さない場合よりも、読取ユニット３と接触しながら円滑にスライドすることができる。すなわち、ガラスユニット４は接触部材５９により円滑にスライドすることができる。加えて、基準部材４０において読取ユニット３の光源からの光が到達する部位は、上流側閉塞部材５２によって、その部位より上流側から隠れる。すなわち、上流側閉塞部材５２は原稿の搬送方向において、空間Ｓを、基準部材４０において読取ユニット３の光源からの光が到達する部位が含まれる下流側と、その部位が含まれない上流側とに仕切る。そのため、塵等の異物がその部位より上流側から空間Ｓを介して第２原稿読取装置Ａの内部に侵入することを防止することができる。そのように、上流側閉塞部材５２は下流側閉塞部材５１と同様の部材であるので、下流側閉塞部材５１によって得られる効果と同様の効果が上流側閉塞部材５２によっても得られる。
【００５５】
なお、上述した実施の形態では、ガラスユニット４に取り付けられている下流側閉塞部材５１は読取ユニット３に接するので、第３ガラス板２０及び基準部材４０は下流側閉塞部材５１によって第２原稿読取装置Ａの下流側から隠れる。すなわち、下流側閉塞部材５１によって、空間Ｓは、原稿の搬送方向において、第３ガラス板２０が含まれる上流側と、第３ガラス板２０が含まれない下流側とに仕切られる。しかしながら、下流側閉塞部材５１は読取ユニット３に接しなくてもよい。つまり、空間Ｓは下流側閉塞部材５１によって上流側と下流側とに完全に仕切られなくてもよい。言い換えると、下流側閉塞部材５１は読取ユニット３に接する高さを有さなくてもよい。加えて、上述した実施の形態では、下流側閉塞部材５１は、ガラスユニット４における第３ガラス板２０の幅の一端から他端までの長さを有する幅を持つ。しかしながら、下流側閉塞部材５１は、ガラスユニット４における第３ガラス板２０の幅の一端から他端までの長さより短い幅を持ってもよい。さらに、下流側閉塞部材５１は、連続したものではなくて、複数の部材が互いに間隔を置いてガラスユニット４に取り付けられたものであってもよい。
【００５６】
上述のような場合、第３ガラス板２０及び基準部材４０の全部は第２原稿読取装置Ａの下流側から隠れないが、第３ガラス板２０及び基準部材４０の一部は第２原稿読取装置Ａの下流側から隠れる。そのため、第２原稿読取装置Ａが下流側閉塞部材５１を有さない場合に比べて、下流側閉塞部材５１により、塵等の異物が下流側から空間Ｓを介して第２原稿読取装置Ａの内部に侵入し難くすることができる。
【００５７】
下流側閉塞部材５１は、ガラスユニット４における第３ガラス板２０の幅の一端から他端までの長さを超える幅を有してもよい。
【００５８】
上述の通り、下流側閉塞部材５１は読取ユニット３に接しなくてもよい。言い換えると、下流側閉塞部材５１は読取ユニット３に接する高さを有さなくてもよい。本実施の形態では、読取ユニット３はガラスユニット４より鉛直上方に位置し、下流側閉塞部材５１はガラスユニット４に取り付けられている。塵等の異物は重力によって鉛直下方に移動する可能性がある。そのため、仮に下流側閉塞部材５１が読取ユニット３に接していなくても、下流側閉塞部材５１が読取ユニット３より鉛直下方に位置するガラスユニット４に取り付けられているので、異物は下流側から空間Ｓを介して第２原稿読取装置Ａの内部に侵入し難い。
【００５９】
上述した実施の形態では、読取ユニット３はガラスユニット４より鉛直上方に位置するが、読取ユニット３はガラスユニット４より鉛直下方に位置してもよい。
【００６０】
上述した実施の形態では、読取ユニット３における下流側接触部位７６及び上流側接触部位７７には、揮発性を有する潤滑油が塗布されている。潤滑油は塗布されるものに限定されない。潤滑油は液状のものであって、下流側接触部位７６及び上流側接触部位７７に滴下されてもよい。要するに、潤滑油が下流側接触部位７６及び上流側接触部位７７の一方又は双方に位置することが好ましい。加えて、潤滑油は、揮発性を有するものに限定されない。
【００６１】
上述した実施の形態では、下流側閉塞部材５１は弾性体によって形成されている取付部材５８と、接触部材５９とを有する。しかしながら、下流側閉塞部材５１は接触部材５９を有さなくてもよい。上流側閉塞部材５２も接触部材５９を有さなくてもよい。加えて、取付部材５８は弾性体によって形成されていなくてもよい。すなわち、下流側閉塞部材５１及び上流側閉塞部材５２の一方又は双方は弾性体を有さなくてもよい。
【００６２】
上述した実施の形態では、基準部材４０は白色のものである。しかしながら、基準部材４０は白色のものであると限定されない。例えば、基準部材４０は灰色のものであってもよい。いずれにしても、基準部材４０は読取ユニット３によって行われる読取光学系のシェーディング補正の基準となるものである。加えて、上述した実施の形態では、基準部材４０は、第３ガラス板２０における一方の面の上流側に取り付けられている。しかしながら、基準部材４０は、第３ガラス板２０における一方の面の下流側に取り付けられていてもよい。第３ガラス板２０における一方の面は、第３ガラス板２０における二つの面のうちのいずれの面であってもよい。さらに、基準部材４０は、第３ガラス板２０の一方の面に取り付けられていなくてもよい。例えば、基準部材４０が板状の部材であって、基準部材４０と第３ガラス板２０とが一つの平面に並んで位置するように、基準部材４０は第３ガラス板２０の側面に取り付けられてもよい。
【００６３】
上述した実施の形態では、下流側閉塞部材５１はガラスユニット４に取り付けられている。しかしながら、下流側閉塞部材５１は読取ユニット３に取り付けられてもよい。下流側閉塞部材５１が読取ユニット３に取り付けられる場合、ガラスユニット４がスライドしても下流側閉塞部材５１はスライドしない。下流側閉塞部材５１が読取ユニット３に取り付けられる場合、下流側閉塞部材５１における取付部材５８は読取ユニット３に取り付けられ、下流側接触部位７６はガラスユニット４に位置する。上流側閉塞部材５２も、読取ユニット３に取り付けられてもよい。上流側閉塞部材５２が読取ユニット３に取り付けられる場合、ガラスユニット４がスライドしても上流側閉塞部材５２はスライドしない。上流側閉塞部材５２が読取ユニット３に取り付けられる場合、上流側閉塞部材５２における取付部材５８は読取ユニット３に取り付けられ、上流側接触部位７７はガラスユニット４に位置する。
【００６４】
上述の通り、下流側閉塞部材５１及び上流側閉塞部材５２は、ガラスユニット４に取り付けられてもよいし、読取ユニット３に取り付けられてもよい。更に言うと、下流側閉塞部材５１がガラスユニット４に取り付けられるということは、下流側閉塞部材５１がガラスユニット４と一体化されていてもよいことを意味する。すなわち、下流側閉塞部材５１はガラスユニット４の一部であってもよい。同様に、下流側閉塞部材５１が読取ユニット３に取り付けられるということは、下流側閉塞部材５１が読取ユニット３と一体化されていてもよいことを意味し、下流側閉塞部材５１はガラスユニット４の一部であってもよい。上流側閉塞部材５２に関しても、上流側閉塞部材５２がガラスユニット４に取り付けられるということは、上流側閉塞部材５２がガラスユニット４と一体化されていてもよいことを意味し、上流側閉塞部材５２が読取ユニット３に取り付けられるということは、上流側閉塞部材５２が読取ユニット３と一体化されていてもよいことを意味する。すなわち、上流側閉塞部材５２はガラスユニット４又は読取ユニット３の一部であってもよい。
【００６５】
本発明は上述の実施の形態に限定されるものではなく、実施の形態は本発明の趣旨に基づき種々の変形が可能であり、変形例を本発明の技術的範囲から排除しない。
【産業上の利用可能性】
【００６６】
本発明は、原稿読取装置に関するので産業上の利用可能性を有する。
【符号の説明】
【００６７】
Ｈ  第１原稿読取装置
Ａ  第２原稿読取装置
１ａ  第１ガラス板
１ｂ  第２ガラス板
２  読取キャリッジ
３  読取ユニット
４  ガラスユニット
１０  給紙トレイ
１１  排紙トレイ
１２  原稿搬送経路
１２ａ  給紙口
１２ｂ  排紙口
１３  繰出ローラ
１４  給紙ローラ
１５  分離ローラ
１６  レジストローラ対
１６Ａ、１６Ｂ  レジストローラ
１７  搬送ローラ対
１８  搬送ローラ対
１９  排紙ローラ対
２０  第３ガラス板
２１  保護ガラス
２２  導光体
２４，２５，２６，２７  ミラー
２８  レンズ
２９  光電変換素子（ＣＣＤ）
３０  第１フレーム
３１  ＣＣＤ基板
３２  第２フレーム
３２ａ  スリット
４０  基準部材
４１  ユニットレバー
５１  下流側閉塞部材
５２  上流側閉塞部材
５８  取付部材
５９  接触部材
６０  光学ユニット
６１  光源ユニット
７０  分離ガイドユニット
７２  規制壁
７６  下流側接触部位
７７  上流側接触部位
８０  給紙カバーユニット
８１  給紙カバー
８２  回動ピン
９５  スライド駆動部
９５ａ  カム
９５ｂ  ドライブ部
９５ｃ  凹部
９５ｄ  突起部
９５ｅ  ドライブレバー
Ｓ  空間
ＵＬ  スライド方向
ＣＣＷ  回転方向
Ｄ  異物
【図１】
2014090277.tif 000003
【図２】
2014090277.tif 000004
【図３】
2014090277.tif 000005
【図４】
2014090277.tif 000006
【図５】
2014090277.tif 000007
【図６】
2014090277.tif 000008
【図７Ａ】
2014090277.tif 000009
【図７Ｂ】
2014090277.tif 000010
【図７Ｃ】
2014090277.tif 000011